(57)【要約】【課題】大型の床タイルであっても、効率的且つ確実に、裏面の充填性を確認できるとともに好適に施工を行うことを可能にする床タイルの施工方法を提供する。【解決手段】貼付け対象２の表面に貼付け用材３を介して床タイル１を貼設する方法であって、貼付け対象２の表面と床タイル１の外周端部側の間に堰き止め部６を介在させつつ貼付け対象２の表面上に床タイル１を配設し、且つ堰き止め部６によって貼付け対象２の表面と床タイル１の裏面との間に充填空間を形成するとともに、充填空間と外部を連通させる注入口Ｈ１及び複数の吹出口Ｈ２、Ｈ３、Ｈ４を形成し、注入口Ｈ１から貼付け用材３を充填空間に注入し、複数の吹出口Ｈ２、Ｈ３、Ｈ４から貼付け用材３が流出した段階で注入を完了する。【選択図】図１
2018162616.tif 000002
【特許請求の範囲】
【請求項１】
貼付け対象の表面に貼付け用材を介して床タイルを貼設する方法であって、
前記貼付け対象の表面と前記床タイルの外周端部側の間に堰き止め部を介在させつつ前記貼付け対象の表面上に前記床タイルを配設し、
且つ前記堰き止め部によって前記貼付け対象の表面と前記床タイルの裏面との間に充填空間を形成するとともに、前記充填空間と外部を連通させる注入口及び複数の吹出口を形成し、
前記注入口から貼付け用材を前記充填空間に注入し、前記複数の吹出口から前記貼付け用材が流出した段階で注入を完了することを特徴とする床タイルの施工方法。
【発明の詳細な説明】
【技術分野】
【０００１】
本発明は、床タイルの施工方法に関する。
【背景技術】
【０００２】
従来、床タイルを設置する際には、貼付けモルタルを用い、床タイルを下地コンクリートに接着するようにしている。また、下地コンクリートに対する床タイルの接着強度を高めることができるため、貼付けモルタルに替えて有機系接着剤を用いるケースも増えている。
【０００３】
一方、下地コンクリートの表面に不陸（凹凸）が生じている場合には、予め不陸調整材を塗布することが必要になるが、下地コンクリートと不陸調整材との間、不陸調整材と貼付けモルタルや有機系接着剤との間の接着性が十分に確保できず、床タイルが剥離するケースがあった。
【０００４】
これに対し、床タイルの接着面に凹凸／裏足を設け、貼付けモルタルを介して下地コンクリートの表面に床タイルを接着する方法が実用化されている。この施工方法においては、有機系材料などの不陸調整材／下地調整層だけで不陸を調整する必要が無く、下地コンクリートと床タイルの間の不陸調整に必要な厚みを貼付けモルタルによって賄うことができる（例えば、特許文献２参照）。
【先行技術文献】
【特許文献】
【０００５】
【特許文献１】特開平７−３１０４１８号公報
【特許文献２】特開２０１６−１６９５６８号公報
【発明の概要】
【発明が解決しようとする課題】
【０００６】
ここで、上記従来の床タイルの施工方法を用いることで、９００×１５０ｍｍの床タイルを好適に施工することが可能であるが、この施工方法は床タイルと貼付けモルタルの充填性が重要で、短辺が３００ｍｍを超えるような大型の床タイルを施工する際には、図２に示すように、床タイル１と下地コンクリート２の間に入った空気（空隙Ｐ）の逃げ道がなくなり、貼付けモルタル３の充填率が低下するおそれがあった。
【０００７】
また、床タイル１には焼成によって僅かに反りが生じているものもあり、床タイル１の中央部付近に空隙Ｐが残ってしまうケースがあった。そして、床タイル１と下地コンクリート２、貼付けモルタル３の間に残った空隙Ｐは、衝撃によって床タイル１の割れを生じさせる要因となる。
【０００８】
一方、施工時には、一般に、貼付け途中の床タイルを剥がしたり、打音で充填性を確認するなどして充填性／空隙残存の検査を行うようにしている。しかしながら、タイルサイズが０．５ｍ２を超えるような大型になると、剥がして検査を行うことは容易でない。また、貼付けモルタルが未硬化な状態では打音検査などによってタイル裏面の貼付けモルタルの充填状態を確認することも難しく、タイルサイズが大型になるほど、これらの検査の効率、信頼性が低下する。
【０００９】
このようなことから、例えば面積が０．５ｍ２を超え、短辺が３００ｍｍを超えるような大型の床タイルを施工する場合であっても、床タイルを剥がすことなく、裏面の充填性を精度よく確認でき、より好適に床タイルを施工できる手法が強く望まれていた。
【００１０】
本発明は、上記事情に鑑み、大型の床タイルであっても、効率的且つ確実に、裏面の充填性を確認できるとともに好適に施工を行うことを可能にする床タイルの施工方法を提供することを目的とする。
【課題を解決するための手段】
【００１１】
上記の目的を達するために、この発明は以下の手段を提供している。
【００１２】
本発明の床タイルの施工方法は、貼付け対象の表面に貼付け用材を介して床タイルを貼設する方法であって、前記貼付け対象の表面と前記床タイルの外周端部側の間に堰き止め部を介在させつつ前記貼付け対象の表面上に前記床タイルを配設し、且つ前記堰き止め部によって前記貼付け対象の表面と前記床タイルの裏面との間に充填空間を形成するとともに、前記充填空間と外部を連通させる注入口及び複数の吹出口を形成し、前記注入口から貼付け用材を前記充填空間に注入し、前記複数の吹出口から前記貼付け用材が流出した段階で注入を完了することを特徴とする。
【発明の効果】
【００１３】
本発明の床タイルの施工方法においては、モルタルなどの貼付け用材を後注入するようにした。この手法は従来の床タイルを後張りする方法に比べて手間の掛かる手法であるが、例えば面積が０．５ｍ２を超えるような大型の床タイルの施工に適用した場合には面外方向の高さ調整や床タイルの裏面への充填性の確保、確認などを含め、総合的に、後張り方法よりも効率的且つ効果的な施工を実現することが可能である。
【００１４】
よって、本発明の床タイルの施工方法によれば、大型の床タイルであっても、効率的且つ確実に、裏面の充填性を確認できるとともに好適に施工を行うことが可能になる。
【図面の簡単な説明】
【００１５】
【図１】本発明の一実施形態に係る床タイルの施工方法を示す図である。
【図２】床タイルと下地コンクリート、貼付けモルタルの間に空隙が残存した状態を示す図である。
【発明を実施するための形態】
【００１６】
以下、図１を参照し、本発明の一実施形態に係る床タイルの施工方法について説明する。
【００１７】
本実施形態は、例えば方形平板状の床タイルを好適に施工することを可能にする床タイルの施工方法に関し、特に、例えば面積が０．５ｍ２を超えるような大型の床タイルを施工する場合など、床タイルを剥がすことなく裏面の充填性を確認できる床タイルの施工法に関するものである。
【００１８】
具体的に、本実施形態の床タイルの施工方法においては、まず、床タイルの接着面／裏面に所定の有機系接着剤を塗布する。なお、この工程は省略可能である。
【００１９】
さらに、図１（ａ）に示すように、床タイル１の裏面１ａの四方の外周端部側に、これら外周端部に沿って額縁状に有機系接着剤５を塗布し、堰き止め部６を形成する。このとき、有機系接着剤５を不連続にして塗布するなどし、床タイル１の四隅の角部に隙間Ｈが空くように堰き止め部６を形成する。
【００２０】
次に、図１（ｂ）に示すように、下地コンクリート（貼付け対象）２の表面の所定位置に有機系接着剤５を塗布する。
【００２１】
そして、図１（ｃ）に示すように、この下地コンクリート２の表面に塗布した有機系接着剤５を間に介装するように床タイル１を下地コンクリート２の表面の所定位置に載置する。また、床タイル１を下地コンクリート２の表面に載置して面外方向の高さ調整を行う。このとき、本実施形態では、床タイル１の裏面１ａに設けた額縁状の堰き止め部６が枠代わりになって、簡単に高さ調整を行うことができる。
【００２２】
ここで、例えば、貼付けモルタル３や樹脂材（高発泡スポンジ、低発泡バッカー、ゴム材など）などを用いて堰き止め部６を形成するようにしてもよく、特に堰き止め部６を形成する素材を限定する必要はない。また、床タイル１の裏面１ａに予め一体に堰き止め部６を設けず、下地コンクリート２の表面に堰き止め部６を設置し、その上に床タイル１を載置するようにしてもよい。
【００２３】
次に、図１（ｄ）、図１（ｅ）に示すように、床タイル１の四隅に形成された１箇所の隙間Ｈを注入口Ｈ１とし、この注入口Ｈ１に注入プラグ７を設置する。注入プラグ７の廻りは、隙間ができないように有機系接着剤などで塞ぐ。
【００２４】
次に、セルフレべリングする位に軟らかく練った貼付けモルタル（貼付け用材）３を注入口Ｈ１から、堰き止め部６によって形成された下地コンクリート２と床タイル１の間の充填空間に流し込む。大型の床タイル１の場合には、注入高さを高くするなどして床タイル１の端部まで十分な注入圧力が掛かるようにする。
【００２５】
次に、床タイル１の四隅の残りの箇所の隙間Ｈの吹出口Ｈ２、Ｈ３、Ｈ４から貼付けモルタル３が溢れて流出してきたら、順次有機系接着剤などで吹出口Ｈ２、Ｈ３、Ｈ４を塞ぐ。なお、注入口Ｈ１や吹出口Ｈ２、Ｈ３、Ｈ４を閉塞することが可能であれば、閉塞するための材料は特に限定しなくてもよい。例えば、貼付けモルタル３と有機系接着剤が混ざって施工がしにくい場合には有機系接着剤と同じ材質の硬化物（変成シリコーンなど）を挟み込むなどして対応すればよい。
【００２６】
そして、図１（ｆ）に示すように、順次３箇所の吹出口Ｈ２、Ｈ３、Ｈ４を閉塞し、貼付けモルタル３の注入が止まったとき、床タイル１と下地コンクリート２との間に貼付けモルタル３が完全に充填された状態になる。
【００２７】
したがって、本実施形態の床タイルの施工方法においては、上記のように貼付けモルタル３を後注入するようにした。この手法は、従来の床タイル１を後張りする方法に比べて手間の掛かる手法ではあるが、例えば面積が０．５ｍ２を超えるような大型の床タイル１の施工に適用した場合には面外方向の高さ調整や床タイル１の裏面１ａへの充填性の確保、確認などを含め、総合的に、後張り方法よりも効率的且つ効果的な施工を実現することが可能である。
【００２８】
よって、本実施形態の床タイルの施工方法によれば、大型の床タイル１であっても、効率的且つ確実に、裏面１ａの充填性を確認できるとともに好適に施工を行うことが可能になる。
【００２９】
また、特許文献２のような扱いやすい粘性（高粘度，高チクソトロピー）の有機系接着剤を併用する工法に本実施形態の床タイルの施工方法を適用すれば、額縁状に堰き止め部６を形成したり、少し押し込んで高さを下げたりといった面倒な作業を簡単に行うことができる。さらに、貼付けモルタル施工に先行して高さ調整作業を完了できるため、面外方向の精度を格段に良くすることが可能になる。さらに、例えば粘性の低い貼付けモルタル３を使用するなどすれば、後張り工法よりも作業性／施工性を高めることが可能である。
【００３０】
以上、本発明に係る床タイルの施工方法の一実施形態について説明したが、本発明は上記の実施形態に限定されるものではなく、その趣旨を逸脱しない範囲で適宜変更可能である。
【符号の説明】
【００３１】
１    床タイル
１ａ  裏面
２    下地コンクリート（貼付け対象）
３    貼付けモルタル（貼付け用材）
５    有機系接着剤
６    堰き止め部
７    注入プラグ
Ｈ    隙間
Ｈ１  注入口
Ｈ２  吹出口
Ｈ３  吹出口
Ｈ４  吹出口
Ｐ    空隙
【図１】
2018162616.tif 000003
【図２】
2018162616.tif 000004